(57)【要約】【課題】リモコンの表示部に表示される物理量の単位を、使用者の要望に応じて容易に選択することができる給湯システムを、コストを抑えて提供する。【解決手段】台所リモコン４に、給湯装置本体が待機状態にあるときの運転スイッチ３２の長押し操作の有無に応じて、給湯器本体から送信される給湯温度及び湯張り量のデータを表示器２０に表示するときの単位を、華氏及びガロン（図３（ａ）の状態）と、摂氏及びリットル（図３（ｂ）の状態）とに切替える単位表示切換手段を備える。【選択図】  図３
2006308143.tif 000002
【特許請求の範囲】
【請求項１】
給湯器本体と、該給湯器本体の作動に関する物理量を表示する表示器を有して、該給湯器本体を遠隔操作するリモコンとを備えた給湯システムにおいて、
使用者の操作により、前記物理量を前記表示器に表示する際の単位を、予め設定された複数種類の単位のうちのいずれかに選択するための単位選択スイッチと、
該単位選択スイッチによって選択された単位により、前記物理量を前記表示器に表示する単位表示切替手段とを備えたことを特徴とする給湯システム。
【請求項２】
前記給湯器本体は、所定単位による前記物理量のデータに対応した所定単位データを前記リモコンに送信し、
前記単位表示切替手段は、前記リモコンに備えられ、前記給湯器本体から送信される前記所定単位データを受信したときに、該所定単位データに対応した物理量を前記単位選択スイッチによって選択された単位により表示することを特徴とする請求項１記載の給湯システム。
【請求項３】
前記単位表示切替手段は、前記給湯器本体に備えられて、前記物理量を前記単位選択スイッチにより選択された単位で表した選択単位データを前記リモコンに送信する選択単位データ送信手段と、
前記リモコンに備えられて、該選択単位データを前記表示器に表示する表示制御手段とからなることを特徴とする請求項１記載の給湯システム。
【請求項４】
前記リモコンとして、浴室外に設けられた浴室外リモコンと浴室内に設置された浴室内リモコンとを備え、
前記浴室外リモコンは、前記浴室内リモコンと相互に通信するための第１の通信手段と、使用者により操作される第１の呼出スイッチと、第１の報知手段と、該第１の呼出スイッチが操作されたときに前記浴室内リモコンに第１の呼出信号を送信すると共に、前記浴室内リモコンから送信された第２の呼出信号を受信したときに前記第１の報知手段による報知を行う第１の呼出処理手段とを有し、
前記浴室内リモコンは、前記浴室外リモコンと相互に通信するための第２の通信手段と、使用者により操作される第２の呼出スイッチと、第２の報知手段と、該第２の呼出スイッチが操作されたときに前記浴室外リモコンに前記第２の呼出信号を送信すると共に、前記浴室外リモコンから送信された前記第１の呼出信号を受信したときに前記第２の報知手段による報知を行う第２の呼出処理手段とを有することを特徴とする請求項１から請求項３のうちいずれか１項記載の給湯システム。
【発明の詳細な説明】
【技術分野】
【０００１】
本発明は、給湯器本体と該給湯器本体を遠隔操作するリモコンとからなる給湯システムに関し、特に該リモコンにおける給湯器本体の作動に関する物理量の表示態様に関する。
【背景技術】
【０００２】
従来より、屋外に設置された給湯器本体を、屋内の浴室や台所等に設置されたリモコンにより遠隔操作する給湯システムが知られている（例えば、特許文献１参照）。かかる給湯システムにおいては、給湯器本体に供給される水の流量を検出する水量センサが設けられ、該水量センサにより検出された流量をリモコンに設けられた表示部に表示することによって、使用者が水の使用量を確認できるようにしている。
【０００３】
また、その他に、リモコンには、給湯温度を設定するためのスイッチが設けられ、さらに、浴槽に所定量の湯を供給する湯張り運転機能を有する給湯システムにおいては、湯張り量を設定するためのスイッチが設けられている。そして、このように湯張り運転機能を有する給湯システムにおいては、リコモンの表示部に、給湯器本体の作動状態を表す物理量として給湯温度や湯張り量を表示するようにしていた。
【特許文献１】特開昭６２−１７９５６１号公報
【発明の開示】
【発明が解決しようとする課題】
【０００４】
従来の給湯システムにおいては、リモコンに表示される物理量（給湯温度、湯張り量等）の単位は予め設定された固定単位となっていた。しかし、給湯システムが使用される国や地域によっては、使用者が使い慣れた単位が異なる場合がある。例えば、日本においては、給湯温度の単位は摂氏、湯張り量の単位はリットルが一般的であるが、他の国や地域によっては、給湯温度の単位として華氏が用いられる場合や、湯張り量の単位としてガロンが用いられる場合がある。
【０００５】
そのため、複数の国や地域で使用される給湯システムにおいては、給湯システムが使用される国や地域で使用者が使い慣れた物理量の単位で、給湯器本体の作動状態を示す物理量をリモコンの表示部に表示するために、表示する物理量の単位の仕様が異なる複数種類のリモコンを予め用意する必要がある。しかし、このように複数種類のリモコンを用意することでリモコンの製造販売時の管理工数が増加し、給湯システムのコストアップを招くおそれがある。
【０００６】
また、一旦、ある物理量の単位に対応した仕様のリモコンを設置した後に、使用者が他の単位の表示に変更することを希望したときには、仕様の異なるリモコンを購入して既設のリモコンと交換しなければならないという不便さがあった。
【０００７】
そこで、本発明は、リモコンの表示部に表示される物理量の単位を、使用者の要望に応じて容易に選択することができる給湯システムを、コストを抑えて提供することを目的とする。
【課題を解決するための手段】
【０００８】
本発明は上記目的を達成するためになされたものであり、給湯器本体と、該給湯器本体の作動に関する物理量を表示する表示器を有して、該給湯器本体を遠隔操作するリモコンとを備えた給湯システムの改良に関する。
【０００９】
そして、使用者の操作により、前記物理量を前記表示器に表示する際の単位を、予め設定された複数種類の単位のうちのいずれかに選択するための単位選択スイッチと、該単位選択スイッチによって選択された単位により、前記物理量を前記表示器に表示する単位表示切替手段とを備えたことを特徴とする。
【００１０】
かかる本発明によれば、給湯システムの使用者は、前記リモコンに備えられた前記単位選択スイッチを操作して、自己が希望する物理量の単位を選択することができる。そのため、給湯システムが使用される国や地域に応じて、リモコンに表示される物理量の単位の仕様が異なるリモコンを予め用意する必要がない。これにより、表示する物理量の単位が異なる複数種類のリモコンを用意することによるリモコンのコストアップを回避することができる。さらに、給湯システムを設置して使用を開始した後に、使用者がリモコンに表示される物理量の単位を切替えることを要望したときに、前記単位選択スイッチの操作により物理量の単位を容易に切替えることができる。そのため、表示する物理量の単位の仕様が異なるリモコンに交換する必要がなく、使用者の使い勝手が良い。
【００１１】
また、前記給湯器本体は、所定単位による前記物理量のデータに対応した所定単位データを前記リモコンに送信し、前記単位表示切替手段は、前記リモコンに備えられ、前記給湯器本体から送信される前記所定単位データを受信したときに、該所定単位データに対応した物理量を前記単位選択スイッチによって選択された単位により表示することを特徴とする。
【００１２】
かかる本発明によれば、前記リモコンに備えられた前記単位表示切替手段により、前記リモコンの表示器に表示される物理量の単位が切替えられる。そのため、使用者は、前記給湯器本体を交換したときに、前記リモコンで物理量の表示単位を選択するための操作を改めて行う必要がない。また、前記リモコンを複数台備える場合に、使用者は、各リモコンごとに前記単位選択スイッチの操作により前記表示器に表示される物理量の単位を選択することができる。
【００１３】
また、前記単位表示切替手段は、前記給湯器本体に備えられて、前記物理量を前記単位選択スイッチにより選択された単位で表した選択単位データを前記リモコンに送信する手段と、前記リモコンに備えられて、該選択単位データを前記表示器に表示する手段とからなることを特徴とする。
【００１４】
かかる本発明によれば、前記給湯器本体から前記リモコンに対して、前記単位選択スイッチにより選択された単位で表された選択単位データが送信され、前記リモコンは前記選択データを前記表示器に表示する。そのため、使用者は、前記リモコンを交換したときに、前記リモコンで物理量の表示単位を選択するための操作を改めて行う必要がない。そして、前記リモコンを複数台備える場合に、使用者は、前記単位選択スイッチを操作して単位を選択することによって、各リモコンの表示器に表示される物理量の単位を一括して変更することができる。これにより、各リモコンにおける物理量の単位をリモコンごとに個別に行なう必要がないため、使用者の使い勝手がよい。
【００１５】
また、前記リモコンとして、浴室外に設けられた浴室外リモコンと浴室内に設置された浴室内リモコンとを備え、前記浴室外リモコンは、前記浴室内リモコンと相互に通信するための第１の通信手段と、使用者により操作される第１の呼出スイッチと、第１の報知手段と、該第１の呼出スイッチが操作されたときに前記浴室内リモコンに第１の呼出信号を送信すると共に、前記浴室内リモコンから送信された第２の呼出信号を受信したときに前記第１の報知手段による報知を行う第１の呼出処理手段とを有し、前記浴室内リモコンは、前記浴室外リモコンと相互に通信するための第２の通信手段と、使用者により操作される第２の呼出スイッチと、第２の報知手段と、該第２の呼出スイッチが操作されたときに前記浴室外リモコンに前記第２の呼出信号を送信すると共に、前記浴室外リモコンから送信された前記第１の呼出信号を受信したときに前記第２の報知手段による報知を行う第２の呼出処理手段とを有することを特徴とする。
【００１６】
かかる本発明によれば、入浴中の使用者が、前記浴室内リモコンの前記第２の呼出スイッチを操作すると、前記浴室内リモコンから前記浴室外リモコンに前記第２の呼出信号が送信され、該第２の呼出信号を受信した前記浴室外リモコンで前記第１の報知手段による報知がなされる。また、同様にして、浴室外の使用者が、前記浴室外リモコンの前記第１の呼出スイッチを操作すると、前記浴室外リモコンから前記浴室内リモコンに前記第１の呼出信号が送信され、該第１の呼出信号を受信した前記浴室内リモコンで前記第２の報知手段による報知がなされる。
【００１７】
そのため、浴室内の使用者と浴室外の使用者は、前記第１の呼出スイッチ及び前記第２の呼出スイッチを操作することで、相互に相手を呼出すことができると共に、呼出に対して応答をすることができる。
【発明を実施するための最良の形態】
【００１８】
本発明の実施の形態について、図１〜図９を参照して説明する。図１は本発明の給湯システムの全体構成図、図２は図１に示した台所リモコンの外観図、図３は図１に示した浴室リモコンの外観図、図４は図１に示した増設リモコンの外観図、図５は第１の実施の形態における制御ブロック図、図６は第１の実施の形態における給湯温度の摂氏／華氏の変換テーブルの説明図、図７は浴室リモコンと台所リモコン間の呼出処理の説明図、図８は第２の実施の形態における制御ブロック図、図９は第２の実施の形態における温度データの変換マップの説明図である。
【００１９】
図１を参照して、給湯器本体１は浴槽（図示しない）に所定量の湯を供給する湯張り機能を有し、給湯器本体１の全体的な作動を制御するコントローラ２と、給湯器本体１を遠隔操作する３個のリモコン（台所に設置された台所リモコン３、浴室に設置された浴室リモコン４、洗面所等に設置された増設リモコン５）とが、通信ケーブル１０により接続されている。そして、コントローラ２と各リモコン３，４，５は相互に通信可能に構成され、また、台所リモコン３と浴室リモコン４も相互に通信可能に構成されている。なお、台所リモコン３は本発明の浴室外リモコンに相当し、浴室リモコン４は本発明の浴室内リモコンに相当する。
【００２０】
次に、図３（ａ）を参照して、台所リモコン３には、給湯温度や時刻等を表示する表示器１０と、ブザー１２（本発明の第１の報知手段に相当する）と、給湯温度と時刻を設定・変更するためのＵＰスイッチ１３及びＤＯＷＮスイッチ１４と、ＵＰスイッチ１３及びＤＯＷＮスイッチ１４による操作対象（給湯温度／ブザー音量／時刻）を切替える機能スイッチ１５と、浴室リモコン４を呼び出すための呼出スイッチ１６（本発明の第１の呼出スイッチに相当する）と、給湯器本体１を運転状態（給湯運転が可能の状態）と待機状態（給湯運転が不能な状態）とに切替えるための運転スイッチ１７と、給湯温度を他のリモコンに優先して設定可能とするための優先スイッチ１８とが備えられている。
【００２１】
なお、待機状態においては、運転スイッチ１７及び呼出スイッチ１６の操作と、機能スイッチ１５とＵＰスイッチ１３及びＤＯＷＮスイッチ１４の組み合わせによる時刻とブザー音量の設定の操作のみが受け付けられる。そのため、優先スイッチ１８の操作と、機能スイッチ１５とＵＰスイッチ１３及びＤＯＷＮスイッチ１４の組み合わせによる給湯温度の設定の操作は、受け付けられない。
【００２２】
また、使用者は、待機状態において運転スイッチ１７を５秒以上ＯＮ状態とする特殊操作をすることで、表示器１０に表示される温度（本発明の給湯器本体１の作動に関する物理量に相当する）の単位を摂氏と華氏とに切替えることができる。なお、この場合、運転スイッチ１７は本発明の単位選択スイッチに相当する。図２（ａ）は、運転スイッチ１７の特殊操作が行なわれた場合の表示状態を示しており、表示器１０には華氏（○Ｆ）により給湯温度が表示される。また、図２（ｂ）は運転スイッチ１７の特殊操作が行なわれなかった場合の表示状態を示しており、表示器１０には摂氏（℃）により給湯温度が表示される。
【００２３】
次に、図３（ａ）を参照して、浴室リモコン４には、給湯温度や湯張り量等を表示する表示器２０と、ブザー２１（本発明の第２の報知手段に相当する）と、給湯温度を他のリモコンに優先して設定可能とするための優先スイッチ３０と、台所リモコン３を呼び出すための呼出スイッチ３１（本発明の第２の呼出スイッチに相当する）と、給湯器本体１を運転状態と待機状態とに切替えるための運転スイッチ３２と、湯張り運転の実行／停止を指示するための湯張りスイッチ３３と、給湯器本体１が給湯運転を終了してから所定時間（例えば２５分）が経過した時に、表示器２０を消灯状態とする「省電力モード」の設定／解除の切替えを指示するための省電力スイッチ３４と、給湯温度を設定・変更するためのＵＰスイッチ３６及びＤＯＷＮスイッチ３５と、ブザー２１の音量を設定・変更するための音量スイッチ３７と、湯張り運転における湯張り量を設定・変更するためのＵＰスイッチ３９及びＤＯＷＮスイッチ３８とが備えられている。
【００２４】
また、使用者は、待機状態において運転スイッチ３２を５秒以上ＯＮ状態とする特殊操作をすることで、表示器２０に表示される温度及び湯張り量（本発明の給湯器本体１の作動に関する物理量に相当する）の単位を、華氏及びガロンと摂氏及びリットルとに切替えることができる。なお、この場合、運転スイッチ３２は本発明の単位選択スイッチに相当する。
【００２５】
図３（ａ）は、上述した運転スイッチ３２の特殊操作を行なった場合の表示状態を示しており、表示器２０には華氏（○Ｆ）により給湯温度が表示されると共にガロン（gal）により湯張り量が表示される。また、図３（ｂ）は上述した運転スイッチ３２の特殊操作を行なわなかった場合の表示状態を示しており、表示器２０には摂氏（℃）により給湯温度が表示されると共にリットル（l）により湯張り量が表示される。
【００２６】
次に、図４（ａ）を参照して、増設リモコン５には、給湯温度を表示する表示器４０と、給湯器本体１のが給湯動作中に点灯する運転ランプ４１と、給湯温度を設定・変更するためのＵＰスイッチ４３及びＤＯＷＮスイッチ４４と、給湯温度を他のリモコンに優先して設定可能な「優先モード」とするための優先スイッチ４５と、給湯器本体１を運転状態と待機状態に切替えるための運転スイッチ４６と、「優先モード」であるときに点灯する優先ランプ４２とが備えられている。なお、増設リモコン５にはブザー８３（図５参照）が内蔵されている。
【００２７】
また、使用者は、待機状態において運転スイッチ４６を５秒以上ＯＮ状態とする特殊操作をすることで、表示器４０に表示される温度（本発明の給湯器本体１の作動に関する物理量に相当する）の単位を摂氏と華氏とに切替えることができる。なお、この場合、運転スイッチ４６は本発明の単位選択スイッチに相当する。図４（ａ）は上述した運転スイッチ４６の特殊操作が行なわれた場合の表示状態を示しており、表示器４０には華氏（○Ｆ）により給湯温度が表示される。また、図４（ｂ）は上述した運転スイッチ４６の特殊操作が行われなかった場合の表示状態を示しており、表示器４０には摂氏（℃）により給湯温度が表示される。以下、本発明の第１の実施の形態及び第２の形態について説明する。
【００２８】
［第１の実施の形態］図５を参照して、第１の実施の形態においては、コントローラ２は、リモコン３，４，５との間で通信を行うための通信回路５０と、摂氏により表された給湯温度に対応したデータ及びリットルにより表された湯張り量に対応したデータとを、所定単位データとして送信する所定単位データ送信手段５１とを備えている。
【００２９】
また、台所リモコン３は、コントローラ２及び他のリモコン４，５との間で通信を行うための通信回路６０（本発明の通信手段に相当する）と、コントローラ２から送信される所定単位データを、運転スイッチ１７の特殊操作の有無に応じて選択した単位により表示する単位表示切換手段６１と、浴室リモコン４との間で後述する呼び出し処理を行う第１の呼出処理手段６２と、表示器１０の点灯／消灯や表示内容を制御する表示制御手段６３とを備えている。
【００３０】
また、浴室リモコン４は、コントローラ２及び他のリモコン３，５との間で通信を行なうための通信回路７０（本発明の第２の通信手段に相当する）と、コントローラ２から送信される所定単位データのうち、給湯温度を示すデータを、運転スイッチ３２の特殊操作の有無に応じて選択した単位により表示する単位表示切替手段７１と、台所リモコン３との間で後述する呼び出し処理を行う第２の呼出処理手段７２と、表示器２０の点灯／消灯や表示内容を制御する表示制御手段７３とを備えている。
【００３１】
また、増設リモコン５は、コントローラ２及び他のリモコン３，４との間で通信を行なうための通信回路８０と、コントローラ２から送信される所定単位データのうち、給湯温度を示すデータを、運転スイッチ４６の特殊操作の有無に応じて選択した単位により表示する単位表示切替手段８１と、表示器４０の点灯／消灯や表示内容を制御する表示制御手段８２と、ブザー８３とを備えている。
【００３２】
そして、台所リモコン３に備えられた単位表示切換手段６１と、浴室リモコン４に備えられた単位表示切換手段７２と、増設リモコン５に備えられた単位表示切換手段８１とは、図６に示した、予めメモリ（図示しない）に記憶された単位変換用のデータテーブル１００を用いて、表示器１０，２０，４０に表示する物理量の単位を切換える。図６を参照して、データテーブル１００は、１６段階のポインタを華氏（表示温度）と摂氏（表示温度及び制御温度）に割り当てたものである。
【００３３】
ここで、給湯器本体１において、コントローラ２は摂氏による温度に基づいて給湯温度を制御している。そして、コントローラ２に備えられた所定温度データ送信手段５１は、給湯温度センサ（図示しない）により検出された給湯温度（摂氏による）、及び各リモコン３，４，５から送信された給湯温度の設定値（摂氏による）に対応した、データテーブル１００のポインタのデータ（本発明の所定単位データに相当する）を各リモコン３，４，５に送信する。
【００３４】
そして、各リモコン３，４，５の単位表示切換手段６１，７１，８１は、データテーブル１００に従って、受信したポインタに対応した温度を運転スイッチの特殊操作の有無により選択した単位（摂氏又は華氏）により表示する。この場合、各リモコン３，４，５における運転スイッチの特殊操作により、給湯温度の表示単位を個別に設定することができる。
【００３５】
なお、浴室リモコン４の単位表示切換手段７１は、給湯温度と共に湯張り量の表示単位も切替える。そのため、湯張り量について、リットルとガロンに切替えるために、給湯温度用のデータテーブル１００と同様の湯張り量用のデータテーブルを備えている。そして、給湯器本体１の所定単位データ送信手段５１から送信される湯張り量のポインタのデータ（本発明の所定単位データに送信する）を受信したときに、該湯張り量用のデータテーブルに従って、受信したポインタに対応した湯張り量を運転スイッチ１７の特殊操作の有無により選択した単位（リットル／ガロン）により、表示器１０に表示する。
【００３６】
次に、台所リモコン３に備えられた第１の呼出処理手段６２と、浴室リモコン４に備えられた第２の呼出処理手段７２は、図７に示した呼出処理を行う。台所リモコン３に備えられた第１の呼出処理手段６２は、ＳＴＥＰ１０で呼出スイッチ１６（図２（ａ）参照）が操作されたときに、ＳＴＥＰ１１に進んで浴室リモコン４に対して第１の呼出信号（call_1sig）を送信する。同様に、浴室リモコン４に備えられた第２の呼出処理手段７２は、ＳＴＥＰ３０で呼出スイッチ３１（図３（ａ）参照）が操作されたときに、ＳＴＥＰ３１に進んで台所リモコン３に対して第２の呼出信号（call_2sig）を送信する。
【００３７】
また、第１の呼出処理手段６２は、ＳＴＥＰ２０で浴室リモコン４から送信された第２の呼出信号（call_2sig）を受信したときに、ＳＴＥＰ２１に進んでブザー１２（図２（ａ）参照）を鳴動させる。同様に、第２の呼出処理手段７２は、ＳＴＥＰ４０で台所リモコン３から送信された第１の呼出信号（call_1sig）を受信したときに、ＳＴＥＰ４１に進んでブザー３１（図３（ａ）参照）を鳴動させる。
【００３８】
以上説明した、第１の呼出処理手段６２によるＳＴＥＰ１０〜ＳＴＥＰ１１及びＳＴＥＰ２０〜ＳＴＥＰ２１の処理と、第２の呼出処理手段７２によるＳＴＥＰ３０〜ＳＴＥＰ３１及びＳＴＥＰ４０〜ＳＴＥＰ４１の処理を実行することによって、浴室リモコン４の呼出スイッチ３１の操作に応じて、台所リモコン３のブザー１２が鳴動する。また、台所リモコン３の呼出スイッチ１６の操作に応じて、浴室リモコン４のブザー２１が鳴動する。
【００３９】
そのため、例えば、浴室にいる使用者は、浴室リモコン４の呼出スイッチ３１を操作して台所リモコン３のブザー１２を鳴動させることにより、台所にいる他の使用者を呼出すことができる。そして、このとき、台所にいる使用者は、台所リモコン３の呼出スイッチ１６を操作して浴室リモコン４のブザー２１を鳴動させることによって、浴室にいる使用者に対して呼出を認識したことを応答することができる。
【００４０】
なお、このとき、呼出側（浴室リモコン４側）の呼出スイッチ３１の操作に応じて応答側（台所リモコン３側）のブザー１２を鳴動させるときの音色と、応答側（台所リモコン３側）の呼出スイッチ１６の操作に応じて呼出側（浴室リモコン４側）のブザー２１を鳴動させるときの音色を変えるようにしてもよい。
【００４１】
また、増設リモコン５（図４（ａ）参照）は呼出スイッチを備えていないため、他のリモコン３，４を呼び出すことはできないが、他のリモコン３，４の呼出スイッチ１６，３１が操作されたときに、内蔵されたブザー８３（図５参照）を鳴動させる処理を行う。
【００４２】
［第２の実施の形態］次に、図８〜図９を参照して、本発明の第２の実施の形態について説明する。図８を参照して、第２の実施の形態の給湯システムは、各リモコン３，４，５の表示器１０，２０，４０に表示する物理量の単位を切替えるための構成が、上述した第１の実施の形態と相違する。なお、図５に示した第１の実施の形態と同様の構成については、同一の符号を付して説明を省略する。
【００４３】
コントローラ２は、給湯温度と湯張り量を、いずれかのリモコンにおける運転スイッチの特殊操作の有無により選択された単位で表した選択単位データを、各リモコン３，４，５に送信する選択単位データ送信手段５２を備えている。
【００４４】
第２の実施の形態においては、いずれかのリモコンにおいて、上述した運転スイッチ１７，３２，４６の特殊操作がなされたときに、給湯温度の表示単位として華氏が選択され、湯張り温度としてガロンが選択されたことを示すデータが給湯本体１のコントローラに送信される。
【００４５】
そして、選択単位データ送信手段５２は、表示単位として摂氏及びリットルが選択されているときは、給湯温度の制御に使用される摂氏で表した給湯温度のデータと、湯張り運転の制御に使用されるり湯張り量をリットルで表したデータとを、選択単位データとして、各リモコン３，４，５を送信する。
【００４６】
また、表示単位として華氏及びガロンが選択されているときには、選択単位データ送信手段５２は、図９に示したデータテーブル１１０により、給湯温度のデータを華氏に変換する。また、同様に、選択単位データ送信手段５２は、図示しないガロン／リットルの変換テーブルにより湯張り量をガロンで表したデータに変換する。そして、このように単位の変換を行なったデータを、各リモコン３，４，５に送信する。
【００４７】
そして、台所リモコン３の表示制御手段６３は、選択単位データを受信したときに選択単位データに含まれる給湯温度を表示単位を変更することなくそのまま表示器１０に表示する。また、浴室リモコン４の表示制御手段７３は、選択単位データを受信したときに、選択単位データに含まれる給湯温度と湯張り量を、表示単位を変更することなくそのまま表示器１０に表示する。また、増設リモコン５の表示制御手段８２は、選択単位データを受信したときに、選択単位データに含まれる給湯温度を、表示単位を変更することなくそのまま表示器４０に表示する。
【００４８】
この場合、台所リモコン２、浴室リモコン４、及び増設リモコン５のうちのいずれかの運転スイッチ１７,３２，４６を特殊操作することで、全てのリモコンにおける物理量の表示単位を一括して変更することができる。
【００４９】
なお、本実施の形態においては、本発明の給湯器本体の作動に関する物理量として、給湯温度と湯張り量をリモコンの表示器に表示する給湯システムを示したが、他の物理量として、例えば、給湯流量や給湯運転に伴うエネルギーの消費量等を表示してもよい。
【図面の簡単な説明】
【００５０】
【図１】本発明の給湯システムの全体構成図。
【図２】図１に示した台所リモコンの外観図。
【図３】図１に示した浴室リモコンの外観図。
【図４】図１に示した増設リモコンの外観図。
【図５】第１の実施の形態における制御ブロック図。
【図６】第１の実施の形態における給湯温度の摂氏／華氏の変換テーブルの説明図。
【図７】浴室リモコンと台所リモコン間の呼出処理の説明図。
【図８】第２の実施の形態における制御ブロック図。
【図９】第２の実施の形態における給湯温度の摂氏／華氏の変換テーブルの説明図。
【符号の説明】
【００５１】
１…給湯器本体、２…コントローラ、３…台所リモコン、４…浴室リモコン、５…増設リモコン、１０…（台所リモコンの）表示器、１２…（台所リモコンの）ブザー、１６…（台所リモコンの）呼出スイッチ、１７…（台所リモコンの）運転スイッチ、２０…（浴室リモコンの）表示器、２１…（浴室リモコンの）ブザー、３１…（浴室リモコンの）呼出スイッチ、３２…（浴室リモコンの）運転スイッチ、５１…所定単位データ送信手段、６１…（台所リモコンの）単位表示切換手段、６２…第１の呼出処理処理手段、６３…（台所リモコンの）表示制御手段、７１…（浴室リモコンの）単位表示切換手段、７２…第２の呼出処理手段、７３…（浴室リモコンの）表示制御手段、５２…選択単位データ送信手段
【図１】
2006308143.tif 000003
【図２】
2006308143.tif 000004
【図３】
2006308143.tif 000005
【図４】
2006308143.tif 000006
【図５】
2006308143.tif 000007
【図６】
2006308143.tif 000008
【図７】
2006308143.tif 000009
【図８】
2006308143.tif 000010
【図９】
2006308143.tif 000011